(57)【特許請求の範囲】
【請求項１】
流動体が密閉状態で充填された、フィルム材からなる内袋と、
前記内袋が気体とともに密閉状態で封入された、フィルム材からなる外袋と
を備え、
前記流動体の前記内袋の内容積に対して占める割合は、５０〜８０％の範囲にあり、
前記内袋及び気体の前記外袋の内容積に対して占める割合は、１０〜５０％の範囲にあることを特徴とする、小動物忌避具。
【請求項２】
前記外袋を構成するフィルム材は、ポリエチレンフィルム、または、ポリエチレンフィルムを含む積層フィルムからなることを特徴とする、請求項１に記載の小動物忌避具。
【請求項３】
前記内袋を構成するフィルム材は、ポリエチレンフィルム、ポリエチレンテレフタレートフィルム、ポリプロピレンフィルム、ナイロンフィルム、及びアルミニウム箔から選択される少なくも１種以上からなることを特徴とする、請求項１または２に記載の小動物忌避具。
【請求項４】
前記外袋を構成するフィルム材の剛性は、前記内袋を構成するフィルム材の剛性よりも大きいことを特徴とする、請求項１に記載の小動物忌避具。
【請求項５】
前記流動体は、少なくとも液体を含む、請求項１に記載の小動物忌避具。
【請求項６】
前記外袋は、さらに、網状ネット袋に収容されていることを特徴とする、請求項１に記載の小動物忌避具。
【請求項７】
前記網状ネット袋は、網目部が不規則に重ねられた２層以上の網状ネットで構成されていることを特徴とする、請求項６に記載の小動物忌避具。
【請求項８】
前記外袋は、該外袋同士を連結する連結部を備えていることを特徴とする、請求項１に記載の小動物忌避具。
【発明の詳細な説明】
【技術分野】
【０００１】
本発明は、猫などの小動物の侵入を防ぐ小動物忌避具に関する。
【背景技術】
【０００２】
猫などの小動物が、建物、庭、公園などに侵入するのを防ぐために、従来、侵入経路に、小動物が嫌う忌避剤を撒く等の対策が行われている。
【０００３】
しかしながら、忌避剤を屋外で使用した場合、雨によって忌避剤が流出したりして、忌避効果が徐々に薄れてしまう。また、忌避剤から発する臭いは、人にも不快感を与えるため、使用場所が制限される。さらに、忌避剤が露出した状態で使用されると、子供が誤って飲み込んでしまう危険性もある。
【０００４】
特許文献１には、樹脂糸を網状に形成した網状体からなる小動物忌避具が記載されている。この網状体は、樹脂糸を複数本より込んで網状に形成されており、横の樹脂糸と縦の樹脂糸とが、螺旋状または波状に記憶形状されている。そのため、猫等の小動物が網状体に足を踏み入れると、樹脂糸に足の爪が引っかかりやすくなり、猫等の小動物が、それ以上侵入しなくなり、猫等の小動物に対して忌避効果を発揮する。
【先行技術文献】
【特許文献】
【０００５】
【特許文献１】特開２００３−６１５５４号公報
【発明の概要】
【発明が解決しようとする課題】
【０００６】
特許文献１に記載された網状体は、猫等の小動物の足の爪が引っかかりやすい構造になっているため、猫等の小動物の侵入を阻止する効果はある。しかしながら、足の爪が引っかかりやすい構造にするために、螺旋状または波状に記憶形状された樹脂糸を複数本より込んで網状体を形成する必要があるため、構造が複雑になり、コストが高くなってしまうという問題がある。また、最初は、侵入を阻止する一定の効果を発揮しても、猫等の小動物の学習効果により、巧みに網を避けて通るようになり、忌避効果が薄くなってしまうという問題がある。
【０００７】
本発明は、上記課題を解決するためになされたもので、その主な目的は、簡単な構成で、忌避効果が維持できる小動物忌避具を提供することにある。
【課題を解決するための手段】
【０００８】
本発明に係る小動物忌避具は、流動体が密閉状態で充填された、フィルム材からなる内袋と、内袋が気体とともに密閉状態で封入された、フィルム材からなる外袋とを備え、流動体の内袋の内容積に対して占める割合は、５０〜８０％の範囲にあり、内袋及び気体の外袋の内容積に対して占める割合は、１０〜５０％の範囲にあることを特徴とする。
【０００９】
ある好適な実施形態において、外袋を構成するフィルム材は、ポリエチレンフィルム、または、ポリエチレンフィルムを含む積層フィルムからなる。
【００１０】
また、内袋を構成するフィルム材は、ポリエチレンフィルム、ポリエチレンテレフタレートフィルム、ポリプロピレンフィルム、ナイロンフィルム、及びアルミニウム箔から選択される少なくも１種以上からなることが好ましい。
【００１１】
また、外袋を構成するフィルム材の剛性は、内袋を構成するフィルム材の剛性よりも大きいことが好ましい。
【００１２】
また、流動体は、少なくとも液体を含むことが好ましい。
【００１３】
外袋は、さらに、網状ネット袋に収容されていてもよい。この場合、網状ネット袋は、網目部が不規則に重ねられた２層以上の網状ネットで構成されていることが好ましい。
【００１４】
外袋は、さらに、外袋同士を連結する連結部を備えていてもよい。
【発明の効果】
【００１５】
本発明によれば、簡単な構成で、忌避効果が維持できる小動物忌避具を提供することができる。
【図面の簡単な説明】
【００１６】
【図１】本発明の一実施形態における小動物忌避具の構成を模式的に示した外観図である。
【図２】図１のII−II線に沿った断面斜視図である
【図３】図１のIII−III線に沿った断面図である。
【図４】小動物忌避具の形成方法を示した部分断面図である。
【図５】本発明の他の実施形態における小動物忌避具の構成を模式的に示した外観図である。
【図６】剛性の測定方法を示した図である。
【図７】本発明の一実施形態における小動物忌避具の構成を模式的に示した外観図である。
【図８】小動物忌避具の設置例を示した図である。
【発明を実施するための形態】
【００１７】
以下、本発明の実施形態を図面に基づいて詳細に説明する。なお、本発明は、以下の実施形態に限定されるものではない。また、本発明の効果を奏する範囲を逸脱しない範囲で、適宜変更は可能である。
【００１８】
図１は、本発明の一実施形態における小動物忌避具１０の構成を模式的に示した外観図である。また、図２は、図１のII−II線に沿った断面斜視図である。また、図３は、図１のIII−III線に沿った断面図である。
【００１９】
図２及び図３に示すように、本実施形態における小動物忌避具１０は、流動体１３が密閉状態で充填された、フィルム材からなる内袋１１と、内袋１１が気体とともに密閉状態で封入された、フィルム材からなる外袋１２とを備えている。
【００２０】
ここで、流動体１３は、例えば、水等の液体、あるいは、液体と空気等の気体との混合体を用いることができる。なお、本実施形態における流動体とは、重力により流動が可能なものを意味し、気体、液体、ゲル、粉体、粒体等が含まれる。また、外袋１２内の気体は、例えば、空気等を用いることができる。
【００２１】
フィルム材は、例えば、樹脂フィルム、金属フィルム、あるいは、それらの積層フィルムを用いることができる。樹脂フィルムとしては、ポリエチレンフィルム、ポリエチレンテレフタレートフィルム、ポリプロピレンフィルム、ナイロンフィルム等を用いることができる。また、金属フィルムとしては、アルミニウム箔等を用いることができる。
【００２２】
本実施形態において、流動体１３の内袋１１の内容積に対して占める割合は、５０〜８０％の範囲にある。これにより、猫等の小動物が内袋１１に足を乗せたとき、内袋１１内の流動体１３が移動して、不安定な状態となり、足の動きが制限される。猫等の小動物は、このような足下が不安定な状態に対して、身の危険を察知して、これを本能的に回避する行動をとる習性がある。その結果、猫等の小動物の侵入を阻止することができる。
【００２３】
ここで、流動体１３の内袋１１の内容積に対して占める割合が５０％未満だと、内袋１１の膨らみが足らず、不安的な状態を作りにくい。また、流動体１３の内袋１１の内容積に対して占める割合が８０％を超えると、流動体１３の移動量が少なく、不安定な状態を作りにくい。本実施形態において、流動体１３の内袋１１の内容積に対して占める割合は、６０〜８０％の範囲にあることがより好ましい。
【００２４】
なお、流動体１３として、水等の液体を用いれば、液体が錘となるため、内袋１１を安定して設置することができる。
【００２５】
このように、猫等の小動物が内袋１１に足を乗せたとき、内袋１１を不安定な状態にすることによって、猫等の小動物の侵入を阻止することができるが、このような不安定な状態に慣れてくると、忌避効果が薄れる場合がある。
【００２６】
そこで、本発明者は、袋体を構成するフィルム材が変形する際に生じる、いわゆるカサカサ音に着目した。すなわち、猫等の小動物は、このような耳障りなカサカサ音を嫌う習性があり、この習性を利用すれば、猫等の小動物の忌避効果が得られることに気がついた。
【００２７】
しかしながら、本実施形態において、内袋１１内で流動体１３の占める割合が、５０〜８０％（より好ましくは６０〜８０％）の範囲と、比較的大きいため、フィルム材の変形量が少なく、カサカサ音が生じにくい。特に、流動体１３に液体を用いた場合、カサカサ音が液体に吸収されるため、カサカサ音が生じにくくなる。
【００２８】
そこで、図２及び図３に示すように、内袋１１とは別に、内袋１１を気体とともに密閉状態で封入した、フィルム材からなる外袋１２をさらに設けた。
【００２９】
本実施形態において、内袋１１及び気体の外袋１２の内容積に対して占める割合は、１０〜５０％の範囲にある。これにより、猫等の小動物が外袋１２に足を乗せたとき、外袋１２がカサカサ音を発するため、猫等の小動物は、身の危険を察知する。その結果、これを回避する行動を本能的に取るため、猫等の小動物の侵入を阻止することができる。
【００３０】
ここで、内袋１１及び気体の外袋１２の内容積に対して占める割合が１０％未満だと、外袋１２内で内袋１１が偏在してしまうため、猫等の小動物が外袋１２に足を乗せても、内袋１１には足が乗らない場合が生じる。従って、外袋１２によるカサカサ音は発せても、内袋１１による不安定な状態を作ることはできない。また、内袋１１及び気体の外袋１２の内容積に対して占める割合が５０％を超えると、猫等の小動物が外袋１２に足を乗せても、カサカサ音が発しにくい。本実施形態において、内袋１１及び気体の外袋１２の内容積に対して占める割合は、２０〜５０％の範囲にあることがより好ましい。
【００３１】
このように、本実施形態において、小動物忌避具１０を、流動体１３が密閉状態で充填された内袋１１と、内袋１１が気体とともに密閉状態で封入された外袋１２とを備えた二重構造とし、流動体１３の内袋１１の内容積に対して占める割合を、５０〜８０％（より好ましくは６０〜８０％）の範囲にし、内袋１１及び気体の外袋１２の内容積に対して占める割合を、１０〜５０％（より好ましくは２０〜５０％）の範囲にすることによって、猫等の小動物が小動物忌避具１０に足を乗せたとき、内袋１１を不安定な状態にさせるとともに、外袋１２から、カサカサ音を発せさることができる。これにより、猫等の小動物は、足の肉球の感覚による不安定さと、耳の感覚による威嚇音を同時に感じるため、異なる感覚による忌避効果を相乗的に発揮することができる。その結果、猫等の小動物は、小動物忌避具１０に対して、身の危険を強烈に刷る込まれるため、二度と近づかないようになる。
【００３２】
本実施形態において、フィルム材の材料は特に限定されないが、外袋１２によるカサカサ音の効果をより発揮させるためには、外袋１２を構成するフィルム材の剛性を、内袋１１を構成するフィルム材の剛性よりも大きくすることが好ましい。剛性の大きなフィルム材ほど、カサカサ音が発しやすいためである。
【００３３】
ここで、フィルム材の剛性は、図６に示すような方法で測定される。すなわち、フィルム材を２つの支持部に乗せ、その中央部を力Ｆで押したときのフィルム材の撓みをδとしたとき、Ｆ／δで求まる値を、そのフィルムの剛性とする。
【００３４】
例えば、剛性の大きな外袋１２として、高密度ポリエチレンフィルム（ＨＤＰＥ）、剛性の小さな内袋１１として、低密度ポリエチレンフィルム（ＬＤＰＥ）を用いることができる。また、カサカサ音を発しやすいフィルム材としては、ポリエチレンフィルム、または、ポリエチレンフィルムを含む積層フィルムを用いることが好ましい。また、フィルム材の厚みは、カサカサ音を発する観点から、厚い方が好ましく、典型的には、０．００５ｍｍ以上の厚みを有することが好ましい。
【００３５】
本実施形態において、内袋１１及び外袋１２は、例えば、以下のような方法で形成することができる。
【００３６】
まず、図１〜図３に示すように、内袋１１を構成するフィルム材と外袋１２を構成するフィルム材とを重ね合わせて、袋状に折りたたみ、袋状の縁部２０及び重なり部２１を熱融着する。
【００３７】
次に、図４に示すように、袋状の縁部２２（開口部）に、ノズル３０及び３１を挿入し、ノズル３０から、内袋１１内に水等の流動体を供給し、ノズル３１から外袋１２内に空気等の気体を供給する。その後、袋状の縁部２２（開口部）から、ノズル３０及び３１を引き抜いた後、袋状の縁部２２（開口部）を熱融着して、内袋１１及び外袋１２を密封する。
【００３８】
なお、本実施形態における内袋１１及び外袋１２の袋体の構成は特に制限されず、上記以外の方法で形成しても勿論構わない。例えば、導入口の付いた内袋１１及び外袋１２を用意し、それぞれ、導入口から、内袋１１及び外袋１２内に、流動体や気体を供給した後、導入口を封栓して形成してもよい。導入口は、例えば、チャック式、ホック式、ゴム栓式、ねじ込み式等を用いることができる。
【００３９】
図５は、本発明の他の実施形態における小動物忌避具の構成を模式的に示した外観図である。
【００４０】
図５に示すように、本実施形態における小動物忌避具は、外袋１２が、さらに、網状ネット袋５０に収容されている。これにより、小動物忌避具は、内袋１１による不安定さ、及び外袋１２によるカサカサ音に加えて、猫等の小動物の足の爪が、網状ネット袋５０に引っ掛かるため、猫等の小動物は、より身の危険を察知することになる。これにより、小動物忌避具による忌避効果をより発揮することができる。
【００４１】
本実施形態において、網状ネット袋５０は、網目部が不規則に重ねられた２層以上の網状ネットで構成されていることが好ましい。これにより、猫等の小動物の足の爪が、網状ネット袋５０により引っ掛かりやくなる。
【００４２】
図７は、本発明の他の実施形態における小動物忌避具の構成を模式的に示した外観図である。
【００４３】
図７に示すように、本実施形態における小動物忌避具は、外袋１２の縁部において、外袋１２同士を連結する連結部４０を備えている。これにより、複数の小動物忌避具を、連結部４０で互いに連結することによって、設置場所に合わせて、任意の大きさに調整することができる。連結部４０の構成は特に限定されず、例えば、ホック、ファスナー等を用いることができる。
【００４４】
図８は、本実施形態における小動物忌避具１０を、塀６０の上に設置した例を示した図である。
【００４５】
図８に示すように、４個の小動物忌避具１０が、塀に沿って、互いに連結して設置されており、猫等の小動物は、小動物忌避具１０の忌避効果により、塀を越えて侵入するのを防ぐことができる。
【００４６】
以上、本発明を好適な実施形態により説明してきたが、こうした記述は限定事項ではなく、もちろん、種々の改変が可能である。なお、本実施形態における小動物忌避具１０は、猫の他、ネズミ、タヌキ、キツネ等の小動物、あるいは、カラス、ハト等にも効果を発揮する。
【符号の説明】
【００４７】
１０      小動物忌避具 
１１      内袋 
１２      外袋 
１３      流動体 
３０、３１    ノズル 
４０      連結部 
５０      網状ネット袋 
【要約】
【課題】簡単な構成で、忌避効果が維持できる小動物忌避具を提供する。
【解決手段】本発明の小動物忌避具は、流動体１３が密閉状態で充填された、フィルム材からなる内袋１１と、内袋１１が気体とともに密閉状態で封入された、フィルム材からなる外袋１２とを備え、流動体１３の内袋１１の内容積に対して占める割合は、５０〜８０％の範囲にあり、内袋１１及び気体の外袋１２の内容積に対して占める割合は、１０〜５０％の範囲にある。
【選択図】図２【図１】
0005574466.tif 000002
【図２】
0005574466.tif 000003
【図３】
0005574466.tif 000004
【図４】
0005574466.tif 000005
【図５】
0005574466.tif 000006
【図６】
0005574466.tif 000007
【図７】
0005574466.tif 000008
【図８】
0005574466.tif 000009